(57)【要約】【課題】送液配管の１ヶ所の分岐部に接続し、内部の液体を取り出し、当該液体の評価／当該液体による評価対象物の評価を行った後の評価後液体を前記送液配管に戻すことを可能とするサンプリング用配管部材、このようなサンプリング用配管部材を備えた液体および／または評価対象物の評価システムおよび評価方法を提供。【解決手段】液体が流れる送液配管３から前記液体を取り出し、当該液体の評価／当該液体による評価対象物の評価を行った後の評価後液体を送液配管３に戻すためであって、前記液体を送液配管３から取り出すための取り出し配管部１と、前記評価後液体を送液配管３に戻すための戻し配管部２と、取り出し配管部１および戻し配管部２を束ねた状態として、これを送液配管３の分岐部３ａに接続する分岐部接続部と、を備えるサンプリング用配管部材、液体および／または評価対象物の評価システムおよび評価方法。【選択図】図１
2019219218.tif 000002
【特許請求の範囲】
【請求項１】
液体が流れる送液配管から前記液体を取り出し、当該液体の評価、および／または、当該液体による評価対象物の評価を行った後の評価後液体を前記送液配管に戻すためのサンプリング用配管部材であって、
前記液体を前記送液配管から取り出すための取り出し配管部と、
前記評価後液体を前記送液配管に戻すための戻し配管部と、
前記取り出し配管部および前記戻し配管部を束ねた状態として、これを前記送液配管の分岐部に接続する分岐部接続部と、
を備えることを特徴とするサンプリング用配管部材。
【請求項２】
外側管と、その内側に配された内側管と、からなる二重管部を有し、
前記外側管の一方の端部が前記分岐部接続部の一部となって前記分岐部に接続し、他方の端部を閉塞する底部を有し、当該底部またはその近傍の周面に、他の配管に接続するための第１の外部接続部を有し、
前記内側管の一方の端部が前記送液配管内まで延伸して開口し、他方の端部が前記外側管の底部またはその近傍の周面を貫通して、さらに他の配管に接続するための第２の外部接続部を有し、
前記二重管部における、前記外側管と前記内側管との間隙、および、前記内側管内、のいずれか一方が前記取り出し配管部を構成し、他方が前記戻し配管部を構成することを特徴とする請求項１に記載のサンプリング用配管部材。
【請求項３】
前記二重管部における、前記内側管内が前記取り出し配管部を構成し、前記外側管と前記内側管との間隙が前記戻し配管部を構成していることを特徴とする請求項２に記載のサンプリング用配管部材。
【請求項４】
請求項１〜３のいずれかに記載のサンプリング用配管部材と、
前記取り出し配管部によって前記送液配管から取り出した前記液体を、前記戻し配管部に送液するサンプリング配管と、
前記サンプリング配管の中途で前記液体を評価するための液体評価手段、および／または、前記液体により評価対象物を評価するための評価対象物評価手段と、
を備えたことを特徴とする評価システム。
【請求項５】
液体が流れる送液配管から、請求項１〜３のいずれかに記載のサンプリング用配管部材を用いて、前記取り出し配管部によって前記液体を取り出し、当該液体、および／または、当該液体により評価対象物、を評価した後、前記評価後液体を前記戻し配管部によって前記送液配管に戻すことを特徴とする評価方法。
【発明の詳細な説明】
【技術分野】
【０００１】
本発明は、液体の流れる送液配管に接続して、送液配管内の液体を取り出して評価した後、および／または、評価対象物の評価に用いた後、再度、送液配管に戻すためのサンプリング用配管部材、このようなサンプリング用配管部材を備えた、液体および／または評価対象物の評価システム、ならびに、液体および／または評価対象物の評価方法に関する。
【背景技術】
【０００２】
各種センサを用いて配管内を流れる液体の評価を行う、あるいは、その液体を用いて各種材料や部材等の評価対象物の評価を行うことは広く行われている。このとき、配管に分岐を設けて液体を取り出すことがあるが、一般的に、取り出した液体は評価後に廃棄されるので、ロスとなる。また、評価した液体や評価に用いた液体を元の送液配管に戻すためにはその送液配管に前記の分岐以外にもう一つの分岐部（合流部）を必要とする。
【０００３】
たとえば、特許文献１では、主流路から分岐して再度主流路に合流する、センサを備えた副流路を設けている。しかし、装置の設置場所の問題から、あるいは、コスト的な問題から、配管に２つの分岐部を設けることが困難な場合が多い。特に大型プラントではこのような問題が顕著である。なお、副流路に必要なコストとしては、配管やそれを保持するための設備に必要な材料費、工事費、メンテナンスするためのコストが挙げられ、大型プラントでしばしば生じる、２つの分岐部の距離が長い場合、これらコストがより一層高くなる。
【先行技術文献】
【特許文献】
【０００４】
【特許文献１】特開２００７−２９２７３０号公報
【発明の概要】
【発明が解決しようとする課題】
【０００５】
本発明は、このような従来技術の問題を解決することを課題とする。すなわち、送液配管の１ヶ所の分岐部に接続することで、液体が流れる送液配管から前記液体を取り出し、当該液体の評価、および／または、当該液体による評価対象物の評価を行った後の評価後液体を前記送液配管に戻すことを可能とするサンプリング用配管部材、このようなサンプリング用配管部材を備えた液体および／または評価対象物の評価システムおよび評価方法を提供することを目的とする。
【課題を解決するための手段】
【０００６】
本発明のサンプリング用配管部材は、液体が流れる送液配管から前記液体を取り出し、当該液体の評価、および／または、当該液体による評価対象物の評価を行った後の評価後液体を前記送液配管に戻すためのサンプリング用配管部材であって、
前記液体を前記送液配管から取り出すための取り出し配管部と、
前記評価後液体を前記送液配管に戻すための戻し配管部と、
前記取り出し配管部および前記戻し配管部を束ねた状態として、これを前記送液配管の分岐部に接続する分岐部接続部と、
を備えることを特徴とする（基本構成）。
【０００７】
本発明のサンプリング用配管部材は、上記構成に加え、外側管と、その内側に配された内側管と、からなる二重管部を有し、
前記外側管の一方の端部が前記分岐部接続部の一部となって前記分岐部に接続し、他方の端部を閉塞する底部を有し、当該底部またはその近傍の周面に、他の配管に接続するための第１の外部接続部を有し、
前記内側管の一方の端部が前記送液配管内まで延伸して開口し、他方の端部が前記外側管の底部またはその近傍の周面を貫通して、さらに他の配管に接続するための第２の外部接続部を有し、
前記二重管部における、前記外側管と前記内側管との間隙、および、前記内側管内、のいずれか一方が前記取り出し配管部を構成し、他方が前記戻し配管部を構成することができる。
【０００８】
このとき、前記二重管部における、前記外側管と前記内側管との間隙が前記取り出し配管部を構成し、前記内側管内が前記戻し配管部を構成していることが好ましい。
【０００９】
本発明の評価システムは、上記本発明のサンプリング用配管部材と、
前記取り出し配管部によって前記送液配管から取り出した前記液体を、前記戻し配管部に送液するサンプリング配管と、
前記サンプリング配管の中途で前記液体を評価するための液体評価手段、および／または、前記液体により評価対象物を評価するための評価対象物評価手段と、
を備えたことを特徴とする。
【００１０】
一方、本発明の評価方法は、液体が流れる送液配管から、上記本発明のサンプリング用配管部材を用いて、前記取り出し配管部によって前記液体を取り出し、当該液体、および／または、当該液体により評価対象物、を評価した後、前記評価後液体を前記戻し配管部によって前記送液配管に戻すことを特徴とする。
【発明の効果】
【００１１】
本発明のサンプリング用配管部材によれば、液体が流れる送液配管から液体を取り出し、当該液体の評価、および／または、当該液体による評価対象物の評価を行った後の評価後液体を送液配管に戻すためのサンプリング用配管部材であって、液体を送液配管から取り出すための取り出し配管部と、評価後液体を送液配管に戻すための戻し配管部と、取り出し配管部および戻し配管部を束ねた状態として、これを送液配管の分岐部に接続する分岐部接続部と、を備える構成により、送液配管の１ヶ所の分岐部に接続するだけで、送液配管内を流れる液体を取り出し、センサ等で評価し、および／または、評価対象物の評価に用いた後、その評価後液体を元の送液配管に戻せるため、液体のロスを防ぐことができ、かつ、配管の長さが短くて済むので配管工事に関わるコストを抑制することが可能となる。
【００１２】
なお、ここでいう「束ねた状態として」とは、独立した複数の配管を１つにまとめた状態のほか、１つの配管内を複数の区画に分割して複数の連通路を形成した状態（複合管）や、大径の配管の中にそれより小径の配管を１つ以上嵌挿して、配管相互の間隙と、最も小径の配管の内部との２以上の連通路を形成した状態（多重管。大径と小径１つずつの場合は「二重管」）も、配管を束ねた状態の概念に含まれる。
【００１３】
また、ここでいう「評価後液体」とは、液体の評価や、液体による評価対象物の評価が終了した後の、その評価に用いられた液体のみを指すのではなく、評価のために必要な量以上の液体をサンプリングした場合における評価に用いられなかった過剰量の液体を送液配管に戻す際の当該過剰量の液体を含む概念とする。
【００１４】
本発明のサンプリング用配管部材は、評価後に液体を廃棄していた従来のサンプリング配管が接続している送液配管の分岐部に、従来のサンプリング配管に置き換えて接続することで上記効果を得ることができる。
【００１５】
本発明のサンプリング用配管部材は、上記基本構成に加え、外側管と、その内側に配された内側管と、からなる二重管部を有し、外側管の一方の端部が分岐部接続部の一部となって分岐部に接続し、他方の端部を閉塞する底部を有し、当該底部またはその近傍の周面に、他の配管に接続するための第１の外部接続部を有し、内側管の一方の端部が送液配管内まで延伸して開口し、他方の端部が外側管の底部またはその近傍の周面を貫通して、さらに他の配管に接続するための第２の外部接続部を有し、二重管部における、外側管と内側管との間隙、および、内側管内、のいずれか一方が取り出し配管部を構成し、他方が戻し配管部を構成することが可能であり、このとき、製造が容易となるとともに、送液配管からの液体の取り出し部と、評価後液体の送液配管への戻し部との間に距離が取れるので、送液配管に戻した直後の評価後液体を再度取水してしまうショートパスを抑制することができ、送液配管を流れる液体の評価、あるいは当該液体による評価対象物の評価を、より正確に行うことが可能となる。
【００１６】
このとき、二重管部における、内側管内が取り出し配管部を構成し、外側管と内側管との間隙が戻し配管部を構成していることで、送液配管の中心部を流れる代表的な液体をサンプリングできるので、当該液体や、当該液体による評価対象物の評価結果を実機の評価により近づけることが可能となる。
【００１７】
本発明の評価システムは、上記本発明のサンプリング用配管部材と、取り出し配管部によって送液配管から取り出した液体を、戻し配管部に送液するサンプリング配管と、サンプリング配管の中途で液体を評価するための液体評価手段、および／または、液体により評価対象物を評価するための評価対象物評価手段と、を備えた構成により、送液配管の１ヶ所の分岐部に接続し、送液配管内を流れる液体を取り出し、センサ等で評価した後、および／または、評価対象物の評価に用いた後、その評価後液体を元の送液配管に戻せるため、液体のロスを防ぐことができ、かつ、配管の長さが短くて済むので配管工事に関わるコストを抑制することが可能となる。
【００１８】
以上の本発明の評価システムでは、上記本発明のサンプリング用配管部材を送液配管の１ヶ所の分岐部に取り付ければよく、今まで評価後に液体を捨てていた、送液配管の分岐部に取り付けられた既設のサンプリング用配管に置き換えて取り付けることにより上記の効果が得られる。
【００１９】
一方、本発明の評価方法は、液体が流れる送液配管から、上記本発明のサンプリング用配管部材を用いて、取り出し配管部によって液体を取り出し、当該液体、および／または、当該液体により評価対象物、を評価した後、評価後液体を戻し配管部によって送液配管に戻す構成により、送液配管の１ヶ所の分岐部に接続し、送液配管内を流れる液体を取り出し、センサ等で評価した後の、および／または、液体により評価対象物の評価をした後の、評価後液体を元の送液配管に戻せるため、液体のロスを防ぐことができ、かつ、配管の長さが短くて済むので配管工事に関わるコストを抑制することが可能となる。
【図面の簡単な説明】
【００２０】
【図１】（ａ）は、本発明のサンプリング用配管部材の一例Ａを示すモデル断面図であり、（ｂ）は、一例Ａを用いた液体の評価方法ないし評価システムを示すモデル断面図である。
【図２】本発明のサンプリング用配管部材の他の例Ａ′を用いて、送液配管を流れる液体により評価対象物の評価を行う評価対象物の評価方法ないし評価システムを示すモデル断面図である。
【図３】（ａ）〜（ｄ）は、本発明のサンプリング用配管部材の他の例Ｂ〜Ｅを示すモデル断面図である。
【図４】本発明のサンプリング用配管部材のさらに他の例Ｆを示すモデル図であり、（ａ）は断面図、（ｂ）は上面図である。
【発明を実施するための形態】
【００２１】
以下、本発明について、好ましい実施形態を挙げ、図１〜図４を用いて説明する。
まず、図１（ａ）に、本発明のサンプリング用配管部材の一例Ａのモデル断面図を示す。
【００２２】
このサンプリング用配管部材の一例Ａ（以下、「サンプリング用配管部材Ａ」と称する。他の例においても同様。）は二重管部Ａ１と、延長管部Ａ２とから構成されている。
二重管部Ａ１は、外側管１と、その内側に配した内側管２と、による二重管となっており、外側管１の内径は内側管２の外径よりも大きく、外側管１の内側面１ｆと内側管２の外側面２ｅとの間には間隙１ｇが形成されている。なお、サンプリング用配管部材Ａでは、外側管１と内側管２とが同軸となっているが、これらは必ずしも同軸でなくてもよく、また、外側管１の管壁と内側管２の管壁とが部分的に一体となっていてもよい。
【００２３】
外側管１の一方の端部である先端１ａ付近には、後述するように、液体が流れる送液配管３の分岐部３ａに対して分岐部接続部として機能するねじ部１ｂがある。また、他方の端部を底部１ｃが閉塞し、さらに底部１ｃの近傍には外側管１の周面から突出する円筒形の、後述するように他の配管４に接続するためのねじ部１ｅを備えた第１の外部接続部１ｄを有する。このように第１の外部接続部１ｄを底部１ｃ近くの周面に設けることで、液の滞留部がなくなり、不溶成分の蓄積を抑制することができる。なお、第１の外部接続部１ｄとしては、この例においては円筒形の配管を設けたが、配管４と接続可能であれば他の形状、たとえば、側面１ｆに、雌ねじ部を有する孔を設けてもよい。
【００２４】
一方、二重管部Ａ１の内側管２の一方の端部である先端２ａは、外側管１の先端１ａから突出していて、後述する送液配管３内まで延伸し開口（「開口２ａ」と表記する場合がある。）している。開口２ａは、送液配管３の中心軸周辺まで達している。この構成により、送液配管３からの液体の取り出し部と、評価後の液体、および／または、評価対象物の評価に用いた液体（本発明においては、評価に用いたこれら液体を総称して「評価後液体」と表記している。）の送液配管３への戻し部（すなわち開口２ａと分岐部３ａ）との間に距離が取れるので、送液配管３に戻した直後の評価後液体を再度取水してしまうショートパスを抑制することができる。
【００２５】
一方、内側管２の他方の端部側は、外側管１の底部１ｃを貫通し、延長管部Ａ２となっている。延長管部Ａ２は拡径部２ｂにより二重管部Ａ１の内側管２よりも拡径していて、この例では二重管部Ａ１の外側管１と同じ太さとなっているが、十分な流量が確保できれば、より細くてもよい。延長管部Ａ２の端２ｃ付近に、後述する他の配管４と接続するための雄ねじ部２ｄ１を備えた第２の外部接続部２ｄを有する。
【００２６】
なお、図１（ａ）では、サンプリング用配管部材Ａが一体のものとなっているが、本発明はこれに限定されず、市販の配管材料を組み合わせて本発明の薬注用配管部材の構成としてもよく、その場合、作製が容易となるとともに、製造コストが安価となる。
【００２７】
本発明において、サンプリング用配管部材の材質は、送液配管を流れる液体に対して十分な耐蝕性を備える限り特に限定されず、樹脂や金属、各種ライニング材料等から選択できる。なお、本発明のサンプリング用配管部材は送液配管に着脱可能な接続部で接続しているので、万一腐食や詰まり等が発生しても交換することが可能であり、サンプリング用配管部材が接続しているシステム全体に及ぼす影響を低減することができる。
【００２８】
次に、図１（ｂ）により本発明のサンプリング用配管部材Ａを用いる、液体の評価方法の一例と、それを実現する液体の評価システムについて説明する。図１（ｂ）は、サンプリング用配管部材Ａを用いた液体の評価方法ないし評価システムを示すモデル断面図である。
【００２９】
サンプリング用配管部材Ａは、液体が流れる送液配管３の分岐部３ａのねじ部と二重管部Ａ１の外側管１の先端１ａ付近のねじ部（分岐部接続部）１ｂとの螺合により送液配管３の分岐部３ａに接続していて、二重管部Ａ１の内側管２の開口２ａはこの例では送液配管３の中心近くまで延伸し開口している。このように内側管２が送液配管３の中心近くまで延伸していることにより、送液配管３の管壁近くの液体ではなく、送液配管３の中央付近を流れる均質な部分の液体を開口２ａから取り込めるので、適切な評価が可能となる。
【００３０】
また、図１（ｂ）に略記したように、二重管部Ａ１の第１の外部接続部１ｄと延長管部Ａ２の先端２ｃ付近の第２の外部接続部２ｄは、配管（サンプリング配管）４と接続している。そして、当該配管４は、経路途中にポンプ４ａを備えるとともに、当該ポンプ４ａの上流側および下流側の両方に、互いに異なる機能を有する２つのセンサ（液体評価手段）５を備えている。
【００３１】
送液配管３内の液体の評価を行うときには、ポンプ４ａを運転し、図中矢印Ｘ１，Ｘ２方向に送液し、送液配管３内の液体を二重管部Ａ１の内側管２の先端２ａから延長管部Ａ２に送る。そして、当該液体が配管４に流れ込み、配管４の中途に備えたセンサ５により当該液体を評価（分析、測定）し、第１の外部接続部１ｄ、二重管部Ａ１の外側管１と内側管２の間の間隙１ｇ、送液配管３の分岐部３ａを経て送液配管３内に送る。
【００３２】
センサ５としては、たとえばｐＨ計、溶存酸素計、電気伝導率計、酸化還元電位計、濁度計等、送液配管３内の液体の評価に用いることができるセンサを適宜用いることができる。また、本例のように複数のセンサを用いることができる。勿論、センサの数としては、１個でも３個以上でも構わない。なお、センサの設置位置は、本例ではポンプ４ａの入側と出側の両方に１つずつとしているが、どちらかに偏っていても構わない。
【００３３】
なお、開口２ａは内側管２の軸に対して斜めとなっていて、前記液体の流れ方向下流側に向いて開口している。このため、送液配管３を流れる液体中にごみや不純物などの浮遊物がある場合に、これらのサンプリング用配管部材Ａへの取り込みを抑制できる。開口の向きは、サンプリング用配管部材Ａでは、液体の流れ方向Ｙ１との成す角が４５°となる傾きであるが、当該成す角としては、特に制限されず、０°より少しでも大きければ上記効果を得ることができ、斜めではなく完全に液体の流れ方向Ｙ１の下流側に向いた９０°でも、高い効果を得ることができる。
【００３４】
以上のように、サンプリング用配管部材Ａによれば、送液配管３の分岐部３ａの１ヶ所だけに接続することで、送液配管３を流れる液体を取り出してセンサ５に供給し、その後、評価後液体として送液配管３に戻すことができる。そのため、液体のロスを防ぐことができ、かつ、配管の長さが短くて済むので配管工事に関わるコストを抑制することが可能となる。
【００３５】
なお、図１（ｂ）に示した例では、送液配管３の重力方向の下側（図中においても下側）にサンプリング用配管部材Ａを取り付けているが、底部１ｃや第１の外部接続部１ｄ内に不溶成分が蓄積するおそれがある場合など、必要に応じて、送液配管３の上方や側方にサンプリング用配管部材Ａが位置するように取り付けてもよい（以下の実施形態においても同様）。
【００３６】
図１（ｂ）に示した例では、内側管２を取り出し配管部として、送液配管３内を流れる液体をサンプリング用配管部材１内に導入したが、二重管部Ａ１の外側管１と内側管２との間隙１ｇを取り出し配管部として液体を導入することもできる。かかる態様の例として、図２に、サンプリング用配管部材Ａ′を示す。
【００３７】
サンプリング用配管部材Ａ′は、二重管部Ａ１の内側管２の先端２ａが内側管２の軸に対して直角となっている以外は図１（ａ）および図１（ｂ）に示したサンプリング用配管部材Ａと同じ構成である。なお、サンプリング用配管部材Ａ′に接続される配管（サンプリング配管）４は、経路途中にポンプ４ａを備えるとともに、内部を流れる液体の流れ方向の当該ポンプ４ａの上流側にサンプル容器（評価対象物評価手段）５ａ、５ｂを備えている。すなわち、図２に示す例では、図１（ｂ）に示す例におけるセンサ５の代わりにサンプル容器５ａ、５ｂを備えている。
【００３８】
サンプル容器５ａ、５ｂ内には、送液配管３を流れる液体の、たとえば腐食性を調べる金属板などの評価対象物が収納されている。サンプル容器５ａ、５ｂは、配管４内を流れる液体で満たされ、かつ、常に新しい液体に入れ替わるようになっており、評価対象物が接液するようになっている。なお、配管４に分岐を設けて複数のサンプル容器を並列に接続してもよい。
【００３９】
この例では、ポンプ４ａによる送液方向は、図１（ｂ）の場合と逆になっている。送液配管３を流れる液体は、矢印Ｚ１に示すように分岐部３ａからサンプリング用配管部材Ａ’内部に取り込まれ、二重管部Ａ１の外側管１と内側管２の間の間隙１ｇ、その第１の外部接続部１ｄ、そして、配管４に流れ込む。配管４では、内部の液体が、サンプル容器５ａおよび５ｂ内部の評価対象物に接触し、次いで延長管部Ａ２に流れ込む。そして、当該液体（評価後液体）は、二重管部Ａ１の内側管２の先端２ａから送液配管３内の液体に合流する（矢印Ｚ２）。
【００４０】
なお、図２に示した例では、開口２ａの向きが液体の流れ方向Ｙ１との成す角が０°であるサンプリング用配管部材Ａ′を用いているが、図２での液体の流れ方向のままで、内側管２の先端２ａが斜めとなっているサンプリング用配管部材Ａを用いてもよく、その場合、液体の合流がスムーズとなる。当該成す角としては０°より少しでも大きければ評価後液体がスムーズに合流できる効果を得ることができ、斜めではなく完全に液体の流れ方向Ｙ１の下流側に向いた９０°でも、高い効果を得ることができる。
【００４１】
このように、図２に示した評価方法ないし評価システムでは、図１（ｂ）に示した評価方法ないし評価システムと同様に、送液配管３の分岐部３ａの１ヶ所だけに接続することで、送液配管３から液体を取り出し、当該液体による評価対象物の評価を行い、評価後液体を送液配管３に戻すことができるため、液体のロスを防ぐことができ、かつ、配管の長さが短くて済むので配管工事に関わるコストを抑制することが可能となる。なお、図１では液体の評価方法単独の例を、図２では液体による評価対象物の評価方法単独の例を、それぞれ示したが、これら評価を１つのシステムで同時に行ってもよい。
【００４２】
図３（ａ）に示したサンプリング用配管部材Ｂは、サンプリング用配管部材Ａに近似するが、延長管部Ａ２の径が、二重管部Ａ１の内側管２の径と等しく、拡径部２ｂなしにそのまま連続した態様である。内側管２が、そのままの径で外側管１の底部１ｃを貫通して延在している態様ともいえる。内側管２の延長管部Ａ２側の端部近傍の外周面に、雄ねじ部２ｄ１を有し、配管４が接続する第２の外部接続部２ｄとなっている。当該態様は、滞留する箇所が少ない点で有利である。
【００４３】
図３（ｂ）に示したサンプリング用配管部材Ｃは、二重管部Ａ１の外側管１の底部１ｃの底面１ｈに内側管２の端２ｃが開口している態様である。サンプリング用配管部材Ａやサンプリング用配管部材Ｂにおける延長管部Ａ２のない態様ともいえる。内側管２における端２ｃの開口近傍の内周面に雌ねじ部２ｃ１を有し、配管４が接続する第２の外部接続部２ｄとなっている。当該態様は、小型化が可能な点で有利である。
【００４４】
図３（ｃ）に示したサンプリング用配管部材Ｄは、二重管部Ａ１の内側管２が外側管１内で直角に方向を変え、外側管１の周面を貫通しており、かつ、外側管１の下方で円錐台状の底部１ｃを有し、縮径した管部１ｊが連なる態様である。内側管２における外側管１の周面を貫通した端部近傍の外周面に雄ねじ部２ｄ１を有し、配管４が接続する第２の外部接続部２ｄとなっている。また、管部１ｊの外周面に雄ねじ部１ｅを有し、配管４が接続する第１の外部接続部１ｄとなっている。当該態様は、配管の取り回しの関係から、第２の外部接続部２ｄを送液配管２と平行方向にしたい場合に有利である。
【００４５】
図３（ｄ）に示したサンプリング用配管部材Ｅは、サンプリング用配管部材Ｄと近似しているが、二重管部Ａ１の内側管２が外側管１の軸に対して偏心した状態で、かつ、これらの管の管壁が一体部１ｈで部分的に一体となっている点で異なる態様である。他の構成については、サンプリング用配管部材Ｄと同一である。当該態様は、内側管２の固定が容易でかつ強度があり、製造が比較的容易である点で有利である。
【００４６】
以上の例では、全て外側管１と内側管２の二重管部Ａ１を用いた例を挙げているが、３重以上の多重管を用いてもよく、その場合も本発明の範疇に含まれる。３重以上の多重管の場合に、どの配管と配管との間隙や配管内部（両者を合わせて「層」と呼ぶ場合がある。）を第１の外部接続部と第２の外部接続部に振り分けるかは、任意である。また、形式上３重以上の多重管であったとしても、その内の２層しか用いていなかったり、層間で液の行き来があって、区画が実質的に２層と認められる場合には、二重管の変形例として捉えることができる。
【００４７】
さらに、図４に示したサンプリング用配管部材Ｆは、図１〜図３における二重管部Ａ１に代えて、円管の管内部を２つに区画し、区画ごとに独立した分割配管部６ａおよび分割配管部６ｂを有する複合管部Ａ３を用いる態様である。
なお、図４は、本発明のサンプリング用配管部材のさらに他の例Ｆを示すモデル図であり、図４（ａ）は複合管部Ａ３における管の軸方向の断面図であり、図４（ｂ）は上面図である。
【００４８】
分割配管部６ｂは、分割配管部６ａの先端６ａ１より突出した延伸部６ｂ２を有する。分割配管部６ａの先端６ａ１の外周面と、分割配管部６ｂの延伸部６ｂ２の基端部の外周面には、両者に亘って円環を成すねじ部６ｃが設けられ、これが分岐部接続部として、送液配管３の分岐部３ａに設けられたねじ部に螺合して接続する。
【００４９】
一方、分割配管部６ａおよび分割配管部６ｂの先端６ａ１、６ｂ１側とは反対側の端部側には、それぞれ段差をもって縮径した管部６ｄ２および管部６ｅ２が連なる。管部６ｄ２の外周面は雄ねじ部６ｄ１を有し、配管４が接続する第１の外部接続部６ｄとなっている。また、管部６ｅ２の外周面は雄ねじ部６ｅ１を有し、配管４が接続する第２の外部接続部６ｅとなっている。
【００５０】
なお、図４の例Ｆでは、１つの円管を２つに区画しているが、３つ以上に区画することもでき、その場合も本発明の範疇に含まれる。３つ以上に区画した場合に、どの分割配管部を第１の外部接続部と第２の外部接続部に振り分けるかは、任意である。
【００５１】
これらサンプリング用配管部材Ｂ、Ｃ、Ｄ、ＥおよびＦは、それぞれ、サンプリング用配管部材Ａ、Ａ′と同様に、送液配管３の分岐部３ａの１ヶ所だけに接続することで、サンプリング用配管部材により、液体の評価を行い、および／または、液体による評価対象物の評価を行い、評価後液体を送液配管に戻すことができるため、液体のロスを防ぐことができ、かつ、配管の長さが短くて済むので配管工事に関わるコストを抑制することが可能となる。
【００５２】
以上、本発明について、好ましい実施形態を挙げて説明したが、本発明のサンプリング用配管部材、評価システムおよび評価方法は、上記実施形態の構成に限定されるものではない。
【００５３】
たとえば、上記実施形態では、送液配管取り付け側の端部開口について、取り出し配管部と戻し配管部のいずれか一方を他方に対して突出（延伸）させて、当該一方を送液配管の中心軸近くに配する例を挙げたが、本発明はこれに限定されず、たとえば、端部開口の位置を両者揃えて送液配管の内部にいずれも突出させない態様や、逆に双方とも突出させる態様であっても構わない。
【００５４】
ただし、取り出し配管部において液体を取り込む開口部と、戻し配管部において評価後液体を送液配管に戻す開口部とがある程度離れていることが、評価後液体が取り出し配管部の開口部から取り込まれにくい点で好ましい。したがって、取り出し配管部と戻し配管部のいずれか一方が他方に対して突出（延伸）している上記実施形態の構成は好ましい態様といえる。
【００５５】
また、サンプリング用配管部材Ａでは、液体評価手段として、液体の特性を評価する機能を有するセンサを用いた例を挙げて説明したが、液体評価手段はセンサに限られるものではなく、液体の特性を評価し得る物であれば、液体評価手段を構成する。例えば、液体の濁度や色を確認できるサイトグラスを配管４に接続した場合、これも本発明にいう「液体評価手段」に含まれる。その他、例えば一定量の液体をフィルタに通し、そのフィルタを目視、秤量、精密分析等することで、液体中の不純物の量や種類を求めることができ、この場合のフィルタも、本発明にいう「液体評価手段」となり得る。
【００５６】
一方、サンプリング用配管部材Ａ′では、評価対象物評価手段として、サンプル容器５ａ、５ｂの例を挙げて説明したが、評価対象物評価手段はこれに限られるものではなく、液体を用いて他の評価対象物を評価できる物であれば、評価対象物評価手段を構成する。また、サンプル容器５ａ、５ｂの代わりに水槽を設け、そこに魚などの生き物を放しておくことで、送液配管３内の液体の生物適応性の変化を評価することができ、この場合の生き物は評価対象物に相当し、水槽は評価対象物評価手段を構成する。
【００５７】
その他、当業者は、従来公知の知見に従い、本発明のサンプリング用配管部材、評価システムおよび評価方法を適宜改変することができる。このような改変によってもなお、本発明のサンプリング用配管部材、評価システムおよび評価方法の構成を備えている限り、もちろん、本発明の範疇に含まれるものである。
【符号の説明】
【００５８】
Ａ、Ａ′、Ｂ、Ｃ、Ｄ、Ｅ、Ｆ：サンプリング用配管部材
Ａ１：二重管部
Ａ３：複合管部
１：外側管
１ｂ：ねじ部（分岐部接続部）
１ｃ：底部
１ｇ：間隙
２：内側管
３：送液配管
３ａ：分岐部
４：配管（サンプリング配管）
５    センサ（液体評価手段）
５ａ、５ｂ  サンプル容器（評価対象物評価手段）
６ａ、６ｂ  分割配管部
【図１】
2019219218.tif 000003
【図２】
2019219218.tif 000004
【図３】
2019219218.tif 000005
【図４】
2019219218.tif 000006